(57)【要約】【課題】コンテンツ記録サービスに要するユーザの待ち時間を短縮可能なキオスク端末等を提供する。【解決手段】コンテンツファイルの選択候補を表示する選択候補表示手段２１０と、コンテンツファイルの選択結果に基づいて、該当するコンテンツファイルを取得するコンテンツ取得手段２５０と、取得したコンテンツファイルを光ディスク媒体に記録するコンテンツ記録手段２９０と、ユーザによる情報入力により、コンテンツファイルの記録完了を通知するための通知先情報を取得する通知先情報取得手段２６０と、取得した通知先情報に基づいて、コンテンツファイルの記録完了を通知する記録完了通知手段３２０と、コンテンツファイルの記録を完了したコンテンツ記録ディスクを排出する光ディスク媒体排出手段３３０と、を備えたものである。【選択図】図２
2007287011.tif 000002
【特許請求の範囲】
【請求項１】
ネットワークを介して、光ディスク媒体に記録するためのコンテンツファイルを取得す
るネットワーク接続部と、
前記光ディスク媒体を収容可能な光ディスク媒体収容部と、
情報選択および情報入力を行うための操作部と、
各種情報を表示する表示部と、
前記光ディスク媒体に書き込みを行う光ディスク記録部と、
前記光ディスク媒体を取り出すための光ディスク媒体取り出し部と、
前記コンテンツファイルの選択候補を前記表示部に表示する選択候補表示手段と、
前記操作部による前記コンテンツファイルの選択結果に基づき、前記ネットワーク接続
部を介して、該当する前記コンテンツファイルを取得するコンテンツ取得手段と、
取得した前記コンテンツファイルを、前記光ディスク媒体収容部から搬出された前記光
ディスク媒体に対し、前記光ディスク記録部により記録するコンテンツ記録手段と、
前記操作部による情報入力により、前記コンテンツ記録手段による前記コンテンツファ
イルの記録完了を通知するための通知先情報を取得する通知先情報取得手段と、
取得した前記通知先情報に基づいて、前記コンテンツ記録手段による前記コンテンツフ
ァイルの記録完了を通知する記録完了通知手段と、
前記コンテンツファイルの記録を完了したコンテンツ記録ディスクを前記光ディスク媒
体取り出し部に排出する光ディスク媒体排出手段と、
前記選択候補表示手段、前記コンテンツ取得手段、前記コンテンツ記録手段、前記通知
先情報取得手段、前記記録完了通知手段および前記光ディスク媒体排出手段を制御する中
央制御手段と、
を備えていることを特徴とするキオスク端末。
【請求項２】
紙媒体に所定の情報を印刷する印刷部をさらに備え、
前記中央制御手段は、
前記操作部による選択操作の完了に伴い、コンテンツ記録ディスク作成の受付処理をす
る作成受付処理手段をさらに制御し、
前記作成受付処理手段は、前記受付処理として前記作成受付に関わる受付番号および／
または所定事項の印刷データを生成し、前記印刷部に当該印刷データの印刷を指示するこ
とを特徴とする請求項１に記載のキオスク端末。
【請求項３】
前記光ディスク媒体取り出し部は、前記光ディスク媒体排出手段により排出された前記
コンテンツ記録ディスクの取り出しを禁止するためのロック機構を有し、
前記記録完了通知手段は、前記コンテンツファイルの記録完了と共に、パスワードを通
知し、
前記中央制御手段は、
前記操作部からの前記パスワードの取得により、前記ロック機構を解除するロック解除
手段をさらに制御することを特徴とする請求項１または２に記載のキオスク端末。
【請求項４】
前記通知先情報の通知先は、表示画面を有する情報端末であり、
情報をコード化したシンボル画像を読み取る画像読み取り部をさらに有すると共に、
前記光ディスク媒体取り出し部は、前記光ディスク媒体排出手段により排出された前記
コンテンツ記録ディスクの取り出しを禁止するためのロック機構を有し、
前記記録完了通知手段は、前記コンテンツファイルの記録完了と共に、パスワードをコ
ード化したシンボル画像を前記情報端末の表示画面に表示するための情報を通知し、
前記中央制御手段は、
前記画像読み取り部による前記表示画面に表示された前記シンボル画像の読み取り結果
である前記パスワードの取得により、前記ロック機構を解除するロック解除手段をさらに
制御することを特徴とする請求項１または２に記載のキオスク端末。
【請求項５】
前記記録完了通知手段は、前記コンテンツファイルの記録完了と共に、作成するコンテ
ンツ記録ディスク毎に異なるパスワードを通知し、
前記光ディスク媒体排出手段は、前記操作部からのパスワードの取得により、当該パス
ワードに対応するコンテンツ記録ディスクを排出することを特徴とする請求項１または２
に記載のキオスク端末。
【請求項６】
前記通知先情報の通知先は、表示画面を有する情報端末であり、
情報をコード化したシンボル画像を読み取る画像読み取り部をさらに有し、
前記記録完了通知手段は、前記コンテンツファイルの記録完了と共に、作成するコンテ
ンツ記録ディスク毎に異なるパスワードをコード化したシンボル画像を前記情報端末の表
示画面に表示するための情報を通知し、
前記光ディスク媒体排出手段は、前記画像読み取り部による前記表示画面に表示された
前記シンボル画像の読み取り結果である前記パスワードの取得により、当該パスワードに
対応するコンテンツ記録ディスクを排出することを特徴とする請求項１または２に記載の
キオスク端末。
【請求項７】
前記中央制御手段は、
前記コンテンツ記録ディスクの作成に要するコンテンツ記録ディスク作成料金の電子決
済を行う電子決済手段をさらに制御し、
前記電子決済手段は、前記操作部による前記コンテンツファイルの選択結果に基づいて
、前記コンテンツ記録ディスク作成料金を算出することを特徴とする請求項１ないし６の
いずれか１項に記載のキオスク端末。
【請求項８】
操作部の操作に基づいて、光ディスク媒体に所望のコンテンツファイルを書き込むコン
テンツ記録ディスク作成サービスを実現するキオスク端末の制御方法であって、
前記コンテンツファイルの選択候補を表示するステップと、
前記操作部による前記コンテンツファイルの選択結果に基づき、ネットワークを介して
コンテンツファイルを取得し、当該コンテンツファイルを前記光ディスク媒体に記録する
ステップと、
前記操作部による情報入力により、前記コンテンツファイルの記録完了を通知するため
の通知先情報を取得するステップと、
取得した前記通知先情報に基づいて、前記コンテンツファイルの記録完了を通知するス
テップと、
を備えていることを特徴とするキオスク端末の制御方法。
【請求項９】
コンピュータに、請求項８に記載のキオスク端末の制御方法における各ステップを実行
させるためのプログラム。
【発明の詳細な説明】
【技術分野】
【０００１】
本発明は、コンテンツ記録サービスを行い得るキオスク端末、キオスク端末の制御方法
およびそのプログラムに関するものである。
【背景技術】
【０００２】
従来、コンビニエンス・ストアや公共施設等において、キオスク端末と称される無人情
報端末が広く設置されている。この種のキオスク端末の中には、音楽や写真画像といった
各種デジタルコンテンツファイルをメモリカードに記録したり、携帯電話の赤外線ポート
に送信したりするなどのコンテンツ記録サービスを行い得るものも知られている（例えば
、特許文献１）。
【特許文献１】特開２００２−２８８７３５号公報
【発明の開示】
【発明が解決しようとする課題】
【０００３】
ところが、上記のコンテンツ記録サービスは、デジタルコンテンツの記録に時間がかか
り、顧客の待ち時間が長いといった問題がある。特に近年、デジタルコンテンツの多様化
に伴い、数分以上の記録時間を要するものも少なくなく、コンテンツ記録サービスの提供
効率の向上が課題となっている。
【０００４】
本発明は、上記の問題点に鑑み、コンテンツ記録サービスに要するユーザの待ち時間を
短縮可能なキオスク端末、キオスク端末の制御方法およびそのプログラムを提供すること
を目的とする。
【課題を解決するための手段】
【０００５】
本発明のキオスク端末は、ネットワークを介して、光ディスク媒体に記録するためのコ
ンテンツファイルを取得するネットワーク接続部と、光ディスク媒体を収容可能な光ディ
スク媒体収容部と、情報選択および情報入力を行うための操作部と、各種情報を表示する
表示部と、光ディスク媒体に書き込みを行う光ディスク記録部と、光ディスク媒体を取り
出すための光ディスク媒体取り出し部と、コンテンツファイルの選択候補を表示部に表示
する選択候補表示手段と、操作部によるコンテンツファイルの選択結果に基づき、ネット
ワーク接続部を介して、該当するコンテンツファイルを取得するコンテンツ取得手段と、
取得したコンテンツファイルを、光ディスク媒体収容部から搬出された光ディスク媒体に
対し、光ディスク記録部により記録するコンテンツ記録手段と、操作部による情報入力に
より、コンテンツ記録手段によるコンテンツファイルの記録完了を通知するための通知先
情報を取得する通知先情報取得手段と、取得した通知先情報に基づいて、コンテンツ記録
手段によるコンテンツファイルの記録完了を通知する記録完了通知手段と、コンテンツフ
ァイルの記録を完了したコンテンツ記録ディスクを光ディスク媒体取り出し部に排出する
光ディスク媒体排出手段と、選択候補表示手段、コンテンツ取得手段、コンテンツ記録手
段、通知先情報取得手段、記録完了通知手段および光ディスク媒体排出手段を制御する中
央制御手段と、を備えていることを特徴とする。
【０００６】
また、本発明のキオスク端末の制御方法は、操作部の操作に基づいて、光ディスク媒体
に所望のコンテンツファイルを書き込むコンテンツ記録ディスク作成サービスを実現する
キオスク端末の制御方法であって、コンテンツファイルの選択候補を表示するステップと
、操作部によるコンテンツファイルの選択結果に基づき、ネットワークを介してコンテン
ツファイルを取得し、当該コンテンツファイルを光ディスク媒体に記録するステップと、
操作部による情報入力により、コンテンツファイルの記録完了を通知するための通知先情
報を取得するステップと、取得した通知先情報に基づいて、コンテンツファイルの記録完
了を通知するステップと、を備えていることを特徴とする。
【０００７】
これらの構成によれば、キオスク端末で、コンテンツファイルを記録したコンテンツ記
録ディスクを作成する際、入力された通知先情報に、コンテンツファイルの記録完了を通
知するため、ユーザはキオスク端末の前で、記録完了を待つ必要がない。したがって、容
量の大きいコンテンツファイルを記録する場合でも、ユーザは記録完了通知があるまで、
その記録時間を有効利用することができる。
【０００８】
上記のキオスク端末において、紙媒体に所定の情報を印刷する印刷部をさらに備え、中
央制御手段は、操作部による選択操作の完了に伴い、コンテンツ記録ディスク作成の受付
処理をする作成受付処理手段をさらに制御し、作成受付処理手段は、受付処理として作成
受付に関わる受付番号および／または所定事項の印刷データを生成し、印刷部に当該印刷
データの印刷を指示することが好ましい。
【０００９】
この構成によれば、受付処理により、キオスク端末がコンテンツ記録ディスク作成を受
け付けたことをユーザに対して明確に伝えることができる。また、所定事項として、紙媒
体にその後の処理手順を印刷すれば、これを参照することにより、ユーザは滞りなくその
後の操作を進めることができる。また、コンテンツ記録ディスク作成に決済処理を必要と
する場合は、所定事項として、紙媒体に領収金額を印刷すれば、領収証としても利用でき
る。
【００１０】
上記のキオスク端末において、光ディスク媒体取り出し部は、光ディスク媒体排出手段
により排出されたコンテンツ記録ディスクの取り出しを禁止するためのロック機構を有し
、記録完了通知手段は、コンテンツファイルの記録完了と共に、パスワードを通知し、中
央制御手段は、操作部からのパスワードの取得により、ロック機構を解除するロック解除
手段をさらに制御することが好ましい。
【００１１】
この構成によれば、ユーザに通知したパスワードを取得できない間は、光ディスク媒体
取り出し部をロックするため、作成されたコンテンツ記録ディスクを他人が誤って取り出
すことがない。
【００１２】
上記のキオスク端末において、通知先情報の通知先は、表示画面を有する情報端末であ
り、情報をコード化したシンボル画像を読み取る画像読み取り部をさらに有すると共に、
光ディスク媒体取り出し部は、光ディスク媒体排出手段により排出されたコンテンツ記録
ディスクの取り出しを禁止するためのロック機構を有し、記録完了通知手段は、コンテン
ツファイルの記録完了と共に、パスワードをコード化したシンボル画像を情報端末の表示
画面に表示するための情報を通知し、中央制御手段は、画像読み取り部による表示画面に
表示されたシンボル画像の読み取り結果であるパスワードの取得により、ロック機構を解
除するロック解除手段をさらに制御することが好ましい。
【００１３】
この構成によれば、ユーザが保有する情報端末の表示画面に表示されるシンボル画像を
読み取るまでは、光ディスク媒体取り出し部をロックするため、作成されたコンテンツ記
録ディスクを他人が誤って取り出すことがない。また、ユーザは、シンボル画像を読み取
らせるだけで良いため、操作が容易である。
【００１４】
上記のキオスク端末において、記録完了通知手段は、コンテンツファイルの記録完了と
共に、作成するコンテンツ記録ディスク毎に異なるパスワードを通知し、光ディスク媒体
排出手段は、操作部からのパスワードの取得により、当該パスワードに対応するコンテン
ツ記録ディスクを排出することが好ましい。
【００１５】
この構成によれば、作成するコンテンツ記録ディスク毎に異なるパスワードを通知し、
ユーザから入力されたパスワードの取得により、当該パスワードに対応するコンテンツ記
録ディスクを排出するため、コンテンツ記録ディスクの排出を行っていなくとも、それを
一旦ストックしておき、他のコンテンツ記録ディスクの作成を行うことができる。すなわ
ち、コンテンツファイルの記録が完了しない間でも、複数人の作成依頼を受け付けること
ができ、サービスの提供効率を向上させることができる。
【００１６】
上記のキオスク端末において、通知先情報の通知先は、表示画面を有する情報端末であ
り、情報をコード化したシンボル画像を読み取る画像読み取り部をさらに有し、記録完了
通知手段は、コンテンツファイルの記録完了と共に、作成するコンテンツ記録ディスク毎
に異なるパスワードをコード化したシンボル画像を情報端末の表示画面に表示するための
情報を通知し、光ディスク媒体排出手段は、画像読み取り部による表示画面に表示された
シンボル画像の読み取り結果であるパスワードの取得により、当該パスワードに対応する
コンテンツ記録ディスクを排出することが好ましい。
【００１７】
この構成によれば、作成するコンテンツ記録ディスク毎に異なる情報（コンテンツ記録
ディスク毎に異なるパスワードをコード化したシンボル画像を、ユーザが保有する情報端
末の表示画面に表示するための情報）を通知し、当該シンボル画像の読み取りにより、そ
の読み取り結果であるパスワードに対応するコンテンツ記録ディスクを排出するため、コ
ンテンツ記録ディスクの排出を行っていなくとも、それを一旦ストックしておき、他のコ
ンテンツ記録ディスクの作成を行うことができる。すなわち、コンテンツファイルの記録
が完了しない間でも、複数人の作成依頼を受け付けることができ、サービスの提供効率を
向上させることができる。また、ユーザは、シンボル画像を読み取らせるだけで良いため
、操作が容易である。
【００１８】
上記のキオスク端末において、中央制御手段は、コンテンツ記録ディスクの作成に要す
るコンテンツ記録ディスク作成料金の電子決済を行う電子決済手段をさらに制御し、電子
決済手段は、操作部によるコンテンツファイルの選択結果に基づいて、コンテンツ記録デ
ィスク作成料金を算出することが好ましい。
【００１９】
この構成によれば、電子決済手段により、利益を得ることができる。また、コンテンツ
ファイルの選択結果に基づいて、コンテンツ記録ディスク作成料金を算出するため、記録
時間に見合った金額をコンテンツ記録ディスク作成料金として請求することができる。
【００２０】
本発明のプログラムは、コンピュータに、上記のキオスク端末の制御方法における各ス
テップを実行させるためのものであることを特徴とする。
【００２１】
このプログラムにより、コンテンツファイルを提供する際のユーザの待ち時間を短縮可
能なキオスク端末を実現することができる。
【発明を実施するための最良の形態】
【００２２】
以下、本発明の一実施形態に係るキオスク端末、キオスク端末の制御方法およびそのプ
ログラムについて、添付図面を参照しながら詳細に説明する。本発明は、ユーザが所望す
るコンテンツファイルを光ディスク媒体に記録して提供するキオスク端末に関するもので
ある。そこで、以下、コンテンツファイルとして、テレビ放送番組を記録する場合を例に
挙げて説明する。
【００２３】
図１は、本発明のキオスク端末を適用したコンテンツ記録ディスク作成システムＳＹの
システム構成図である。同図に示すように、本発明のコンテンツ記録ディスク作成システ
ムＳＹは、キオスク端末（無人情報端末）１０と、当該キオスク端末１０に対し、コンテ
ンツ記録ディスクの作成依頼を行う顧客（ユーザ）が保有する携帯電話２０と、によって
構成されている。
【００２４】
携帯電話２０は、表示画面２１を備え、キオスク端末１０からコンテンツ記録完了通知
を受けるために用いる。顧客は、コンテンツ記録ディスクの作成依頼を行う際、携帯電話
２０の電子メールアドレスや電話番号を、コンテンツ記録完了通知を受けるための通知先
情報として入力しておくことにより、コンテンツファイルの記録が完了したとき、キオス
ク端末１０からコンテンツ記録完了通知を受けることができるようになっている。このコ
ンテンツ記録完了通知には、表示画面２１に２次元コード（シンボル画像）Ｃを表示する
ための情報が含まれており、顧客が当該２次元コードＣをキオスク端末１０に読み取らせ
ることで、依頼したコンテンツ記録ディスクを受け取ることができるようになっている。
【００２５】
キオスク端末１０は、顧客により操作されるタッチパネル１１（操作部１４０，図２参
照）と、各種情報を表示するディスプレイ１２（表示部１１０，図２参照）と、携帯電話
２０の表示画面２１に表示された２次元コードＣを読み取る画像読み取り部１３と、電子
決済のためのクレジットカードを挿入するクレジットカード挿入口１４と、コンテンツフ
ァイルが記録されたＤＶＤ−Ｒ（コンテンツ記録ディスク）１５を顧客が取り出すための
光ディスク取り出し部１６と、コンテンツ記録ディスクの作成受付の際に出力される受付
票Ｒ（Ｒ１またはＲ２，図１０参照）を顧客が取り出すための紙媒体取り出し部１７と、
を備えている。
【００２６】
タッチパネル１１は、ディスプレイ１２と同様の表示が行われると共に、文字入力部（
キーボード機能）を有し、各種情報入力を行い得るようになっている。また、光ディスク
取り出し部１６は、コンテンツ記録ディスクの作成依頼を行った顧客以外の人間が、誤っ
てコンテンツ記録ディスクを取り出さないように、ロック機構を有している。
【００２７】
次に、図２を参照し、キオスク端末１０の機能構成について詳細に説明する。キオスク
端末１０は、ハードウェア構成として、図１に示したもの以外に、テンプレート記憶部１
２０、ネットワーク接続部１３０、光ディスク媒体収容部１５０、光ディスク記録部１６
０、印刷部１７０および通信部１８０を有している。テンプレート記憶部１２０は、ＤＶ
Ｄ−Ｒ１５のレーベル面に印刷すべきレーベル印刷データのテンプレートを複数記憶する
ものである。また、通信部１８０は、携帯電話２０との通信（電子メール送信、または電
話）を行うためのものである。
【００２８】
また、ソフトウェア構成（制御構成）として、選択候補表示手段２１０、レーベル印刷
データ生成手段２２０、レーベル印刷データ表示手段２３０、レーベル印刷データ編集手
段２４０、コンテンツ取得手段２５０、通知先情報取得手段２６０、電子決済手段２７０
、作成受付処理手段２８０、コンテンツ記録手段２９０、レーベル印刷手段３１０、記録
完了通知手段３２０、光ディスク媒体排出手段３３０およびロック解除手段３４０を有し
ている。また、これら各手段は、中央制御手段２００により統括制御されている。
【００２９】
選択候補表示手段２１０は、コンテンツファイルの選択候補、およびテンプレートの選
択候補を表示部１１０に表示するものである。「コンテンツファイルの選択候補」として
は、過去のテレビ放送番組表を表示する（図４（ｂ）参照）。なお、「コンテンツファイ
ルの選択候補」については、これに限定されること無く、放送ジャンルや出演者などによ
って抽出されたコンテンツファイルを選択できるように構成しても良い。すなわち、所定
の検索キーワードをユーザが指定し、その検索結果を一覧表示したものを「コンテンツフ
ァイルの選択候補」として表示するようにしても良い。また、「テンプレート」とは、Ｄ
ＶＤ−Ｒ１５のレーベル面に印刷すべきレーベル印刷データのテンプレート（図５（ａ）
のテンプレート候補４３参照）を指すものであり、テンプレート記憶部１２０に記憶され
ている複数種類のテンプレートを、選択候補として表示する。
【００３０】
レーベル印刷データ生成手段２２０は、操作部１４０によるテンプレートの選択結果に
基づき、上記のテンプレート記憶部１２０から該当するテンプレートを読み出し、当該テ
ンプレートと、操作部１４０によるコンテンツファイルの選択結果とに基づいて、レーベ
ル印刷データを生成するものである。
【００３１】
レーベル印刷データ表示手段２３０は、レーベル印刷データ生成手段２２０により生成
されたレーベル印刷データ（レーベル印刷プレビュー）を表示部１１０に表示するもので
ある。また、表示されたレーベル印刷データは、後述のレーベル印刷データ編集手段２４
０により編集可能となっている。
【００３２】
レーベル印刷データ編集手段２４０は、レーベル印刷データ表示手段２３０により表示
されたレーベル印刷データを編集するものである。具体的には、レーベル印刷データに含
まれる絵柄、装飾（枠や下線）、ロゴまたは文字の位置移動、サイズ変更、角度変更、色
変更の他、文字フォントの変更等の編集を行うことができる。また、レーベル印刷データ
編集手段２４０は、操作部１４０による文字入力により（文字入力部）、レーベル印刷デ
ータにメッセージを含めることもできるようになっている（図６（ａ）参照）。
【００３３】
コンテンツ取得手段２５０は、操作部１４０によるコンテンツファイルの選択結果に基
づき、ネットワーク接続部１３０を介して、該当するコンテンツファイルを取得するもの
である。コンテンツファイルは、例えば放送局やコンテンツ仲介事業者のサーバに格納さ
れており、そのサーバからコンテンツファイルを取得する。なお、キオスク端末１０を運
営する運営会社と、コンテンツファイルの提供元とは、予め著作権等に関する契約が締結
されているものとする。
【００３４】
また、コンテンツ取得手段２５０は、コンテンツファイルと共に、当該コンテンツファ
イルのタイトル、コンテンツの制作者、出演者、あらすじ（内容）、容量（再生時間）等
を含むコンテンツ関連情報を取得することが可能である。したがって、コンテンツ関連情
報を取得した場合、レーベル印刷データ生成手段２２０は、選択されたコンテンツファイ
ルのコンテンツ関連情報に基づいて、レーベル印刷データを生成する。なお、コンテンツ
関連情報としては、テレビ放送番組等に用いられるメタデータを利用しても良い。一方、
コンテンツ関連情報を取得しない場合、レーベル印刷データ生成手段２２０は、コンテン
ツファイルからタイトル等を抽出して、レーベル印刷データを生成する。
【００３５】
通知先情報取得手段２６０は、操作部１４０による情報入力により、コンテンツファイ
ルの記録完了を通知するための通知先情報を取得するものである。通知先情報としては、
例えば電子メールアドレスや電話番号を指す。
【００３６】
電子決済手段２７０は、コンテンツ記録ディスクの作成に要するコンテンツ記録ディス
ク作成料金の電子決済を行うものである。また、電子決済手段２７０は、操作部１４０に
よるコンテンツファイルおよび／またはテンプレートの選択結果に基づいてコンテンツ記
録ディスク作成料金の算出も行う。例えば、コンテンツファイルは１時間あたり８００円
、テンプレートはその選択結果に応じて２００円〜５００円などと定められており、両者
の合計からコンテンツ記録ディスク作成料金を算出することができる。また、電子決済手
段２７０は、クレジットカードやクレジット機能付き会員カード、あるいは電子決済が可
能なさまざまなカードによってＤＶＤ作成料金の支払が可能に構成され、クレジットカー
ドのカード情報読み取り手段や、認証サーバ（図示省略）にカード情報の認証を行うため
認証手段も、電子決済手段２７０に含まれる。また、電子決済手段２７０は、携帯電話２
０を用いた電子決済（お財布ケータイ等）も可能となっている。なお、キオスク端末１０
が現金投入による決済を行う場合は、硬貨および紙幣判別手段を備えることとなる。
【００３７】
作成受付処理手段２８０は、操作部１４０による選択操作の完了に伴い、コンテンツ記
録ディスク作成の受付処理をするものである。受付処理としては、作成受付に関わる受付
番号および／または所定事項の印刷データを生成し、印刷部１７０に当該印刷データ（受
付表Ｒ１）の印刷を指示する。なお、所定事項には、上記の電子決済手段２７０による決
済処理結果（領収証）も含まれる（図１０（ａ）参照）。
【００３８】
コンテンツ記録手段２９０は、コンテンツ取得手段２５０により取得したコンテンツフ
ァイルを、光ディスク媒体収容部１５０から搬出されたＤＶＤ−Ｒ１５に対し、光ディス
ク記録部１６０により記録するものである。
【００３９】
レーベル印刷手段３１０は、コンテンツ記録手段２９０による記録前後のＤＶＤ−Ｒ１
５に対し、レーベル印刷データ編集手段２４０により編集されたレーベル印刷データ（何
ら編集が行われていない場合は、レーベル印刷データ生成手段２２０により生成されたレ
ーベル印刷データ）を、印刷部１７０により印刷するものである。すなわち、上記の作成
受付処理手段２８０による受付表Ｒ１の印刷と、レーベル印刷手段３１０によるレーベル
印刷は、同一の印刷部１７０を用いる。これにより、キオスク端末１０の低廉化、小型化
を図ることができる。
【００４０】
記録完了通知手段３２０は、通信部１８０（インターネット接続部または電話回線接続
部等）を介し、通知先情報取得手段２６０により取得した通知先情報に基づいて、コンテ
ンツ記録手段２９０によるコンテンツファイルの記録完了を通知するものである。また、
記録完了通知手段３２０は、コンテンツファイルの記録完了と共に、光ディスク取り出し
部１６のロック機構を解除するためのパスワードと、それをコード化した２次元コードＣ
とを携帯電話２０の表示画面２１上に表示させるための情報を送信する（図１参照）。な
お、通知先情報取得手段２６０が、通知先情報として電話番号を取得する場合は、携帯電
話２０に電話し、音声ガイダンスでパスワードのみを通知する。
【００４１】
光ディスク媒体排出手段３３０は、コンテンツ記録手段２９０によるコンテンツファイ
ルの記録、およびレーベル印刷手段３１０によるレーベル印刷を完了したコンテンツ記録
ディスクを光ディスク媒体取り出し部１６に排出するものである。なお、排出した時点で
は、光ディスク媒体取り出し部１６がロックされているため、顧客がコンテンツ記録ディ
スクを取り出すことはできない。
【００４２】
ロック解除手段３４０は、光ディスク媒体取り出し部１６のロック機構を解除するもの
である。当該解除は、操作部１４０のからのパスワードの取得、または画像読み取り部１
３による携帯電話２０の表示画面２１に表示された２次元コードＣの読み取り（２次元コ
ードＣの読み取り結果であるパスワードの取得）をトリガとして行う。なお、所定時間、
これらのトリガが発生しない場合は、キオスク端末１０が設置されている店舗内の担当者
の携帯電話に通信部１８０を介してその旨を通知するか、キオスク端末１０の運営会社に
ネットワーク接続部１３０を介して通知する。
【００４３】
次に、図３のフローチャートを参照し、主に上記の中央制御手段２００によるキオスク
端末１０の制御方法（コンテンツ記録ディスク作成サービス）の概要について説明する。
なお、顧客の操作（平行四辺形の枠で図示）以外は、全てキオスク端末１０（中央制御手
段２００）の処理（動作）であり、適宜主語を省略する。
【００４４】
同図に示すように、まずコンテンツファイルおよびテンプレートの選択候補をディスプ
レイ１２およびタッチパネル１１上に表示する（Ｓ０１）。コンテンツファイル選択候補
としては、過去のテレビ放送番組表（ＥＰＧデータ等）を表示する。顧客により、所望す
るコンテンツファイルおよびテンプレートが選択されると（Ｓ０２）、ネットワーク接続
部１３０を介してコンテンツファイルおよびコンテンツ関連情報を取得する（Ｓ０３）。
【００４５】
続いて、取得したコンテンツ関連情報、および選択されたテンプレートに基づき、レー
ベル印刷データを生成する（Ｓ０４）。また、生成したレーベル印刷データは、ディスプ
レイ１２およびタッチパネル１１上に表示し、顧客のタッチパネル１１の操作に基づいて
、メッセージ入力等の編集を行う（Ｓ０５）。
【００４６】
レーベル印刷データの内容が確定すると、顧客により、コンテンツ記録完了通知を受け
るための通知先情報が入力される（Ｓ０６）。また、顧客によるコンテンツファイルおよ
びテンプレートの選択結果に基づいて算出したコンテンツ記録ディスク作成料金の電子決
済処理を行う（Ｓ０７）。
【００４７】
電子決済処理を終えると、作成受付処理を行い（Ｓ０８）、コンテンツ記録ディスク作
成受付表Ｒ１（図１０（ａ）参照）をプリントアウトする。同時に、ＤＶＤ−Ｒ１５に対
してコンテンツファイルの記録を行い（Ｓ０９）、記録を完了すると、顧客の携帯電話２
０に対し、記録完了通知を行う（Ｓ１０）。
【００４８】
また、コンテンツファイルの記録完了後は、印刷部１７０によるレーベル印刷を行い（
Ｓ１１）、印刷後、作成済みのコンテンツ記録ディスクを光ディスク媒体取り出し部１６
に排出する（Ｓ１２）。この時点では、光ディスク媒体取り出し部１６はロックされてい
る。
【００４９】
続いて、顧客の操作に基づいて、携帯電話２０の表示画面２１に表示された２次元コー
ドＣの読み取り等によりパスワードを取得すると（Ｓ１３）、光ディスク媒体取り出し部
１６のロック機構を解除し（Ｓ１４）、顧客により光ディスク媒体取り出し部１６からコ
ンテンツ記録ディスクが取り出される（Ｓ１５）。
【００５０】
次に、図４ないし図９の画面遷移図（ディスプレイ１２およびタッチパネル１１の表示
例）、および図１０の受付表Ｒの印刷例を参照し、キオスク端末１０の動作についてさら
に詳細に説明する。なお、画面を前後に遷移させるためのボタン（アイコン）の図示、お
よびその説明は省略する。また、図３のフローチャートに示した工程と対応する画面につ
いては、括弧書きでフローチャートの工程番号を図示する。
【００５１】
まず、図４（ａ）の画面Ｄ０１に示すように、コンテンツ記録サービス初期画面では、
顧客に対する操作方法３１を表示する。ここでは、顧客が予約を行っているか否かに応じ
て、押下するボタン３２，３３が異なる。上記のとおり、キオスク端末１０は、テレビ放
送番組をコンテンツとして記録するものであるため、コンテンツの記録に少なくとも数分
の時間を要する。したがって、コンテンツの記録中は、他の顧客のコンテンツ記録サービ
ス依頼を受けられないこととなってしまうため、そのような顧客に対しては予約を受け付
けるようになっている（図８（ｂ）参照）。
【００５２】
予約を行っている顧客に対しては、予約時に取得した予約用通知先情報に基づいて、前
の顧客のコンテンツ記録が完了した時点でその旨が通知されているため、タッチパネル１
１上の「予約番号入力」ボタン３２を押下し、予約番号を入力することによりサービスを
開始することができる。一方、予約を行っていない顧客は、「ＳＴＡＲＴ」ボタン３３を
押下することとなるが、その時点で予約が入っている場合は、予約状況（待ち人数）と、
予約用通知先情報入力ボタンが画面に表示される（図示省略）。また、その時点で予約が
入っていない場合は、そのままサービスを開始することができる。なお、コンテンツ記録
サービスの予約方法については、後述する。
【００５３】
図４（ｂ）の画面Ｄ０２は、コンテンツファイルを選択するための画面である。同図は
、参照番号３５に示すように、「２００６年３月１８日（土曜日）９：００以降」のテレ
ビ番組表の一部を選択候補３７として表示した場合を示している。ここでは、コンテンツ
記録サービスが開始された日時の２４時間前のテレビ番組表を、選択候補３７のデフォル
ト値として表示するようになっており、テレビ番組表の日付および時間を変更したい場合
は、顧客により「日付・時間変更」ボタン３６が押下される。また、表示移動バー３９に
よっても、表示するテレビ番組表の時間帯を変更することが可能である。さらに、表示移
動バー３８により、表示するテレビ番組表のチャンネルを変更することが可能である。
【００５４】
図５（ａ）の画面Ｄ０３は、テンプレートを選択するための画面である。同図は、参照
番号４１に示すように、「ジャンル：音楽」のテンプレート一覧を選択候補４３として表
示した場合を示している。ジャンルを変更したい場合は、顧客により「ジャンル変更」ボ
タン４２が押下される。他のジャンルとしては、「映画」、「テレビ」等を設けても良い
。また、「花柄」、「キャラクター」、「ストライプ」など、絵柄の種類をジャンルとし
て選択させても良い。さらに、「バースデー用」、「お祝い用」など、贈答の目的をジャ
ンルとして選択させても良い。また、画面Ｄ０３では、表示移動バー４４により、「ジャ
ンル：音楽」に含まれる他のテンプレートを表示させることが可能である。
【００５５】
図５（ｂ）の画面Ｄ０４は、レーベルイメージを確認するための画面である。同図は、
参照番号４５および４６ａに示すように、図４（ｂ）の画面Ｄ０２において、コンテンツ
ファイルとして「番組０１」，「番組０２」（いずれも番組タイトル）が選択された場合
を示している。また、参照番号４６に示すように、図５（ａ）の画面Ｄ０３において、最
初に（一番左側に）表示されているテンプレートが選択された場合を示している。顧客に
より、「ＯＫ」ボタン４７が押下されると、次の画面（Ｄ０５）に遷移する。
【００５６】
図６（ａ）の画面Ｄ０５は、メッセージを入力するための画面である。同画面Ｄ０５で
は、「入力位置指定」ボタン５１の押下により、メッセージ入力位置（メッセージ配置位
置５５ａ，図６（ｂ）参照）を指定することができる。また、不図示のタッチパネル１１
に備えられた文字入力部により、メッセージ入力欄５２への入力を行うことができる。顧
客により、「ＯＫ」ボタン５３が押下されると、次の画面（Ｄ０６）に遷移する。
【００５７】
図６（ｂ）の画面Ｄ０６は、レーベル印刷データを編集するための画面である。同画面
Ｄ０６では、図５（ｂ）の画面Ｄ０４に示されたレーベルイメージ４６と、図６（ａ）の
画面Ｄ０５で入力されたメッセージ５５ａとを合成したレーベル印刷データを表示し、顧
客の操作によって各種編集（絵柄、装飾、ロゴまたは文字の位置移動、サイズ変更、角度
変更、色変更の他、文字フォントの変更等）を行うことができる。顧客により、「ＯＫ」
ボタン５６が押下されると、次の画面（Ｄ０７）に遷移する。
【００５８】
図７（ａ）の画面Ｄ０７は、通知先情報を入力するための画面である。同画面Ｄ０７で
は、通知先情報として、入力欄６１に携帯電話２０の電子メールアドレスを入力させるよ
うになっているが、上記のとおり電話番号等を入力させても良い。顧客により、「ＯＫ」
ボタン６２が押下されると、次の画面（Ｄ０８）に遷移する。
【００５９】
図７（ｂ）の画面Ｄ０８は、電子決済処理を行うための画面である。同画面Ｄ０８では
、料金表示欄６５に、顧客が選択したコンテンツファイルおよびテンプレートに基づいて
算出したコンテンツ記録ディスク作成料金を表示する。また、ボタン６７により、顧客が
所望する支払い方法を選択できるようになっている。支払い方法が選択されると、その選
択に応じて電子決済処理を行う。
【００６０】
図８（ａ）の画面Ｄ０９は、参照番号７１に示すように、作成受付完了を示す画面であ
る。同画面Ｄ０９では、説明欄７２に、コンテンツ記録ディスク作成受付表Ｒ１を紙媒体
取り出し部１７から取り出して欲しい旨、およびコンテンツファイルの記録完了後、図７
（ａ）の画面Ｄ０７で入力された通知先情報に基づいてコンテンツ記録完了通知を行う旨
を表示する。同画面Ｄ０９の表示と同時に出力されるコンテンツ記録ディスク作成受付表
Ｒ１には、図１０（ａ）に示すように、受付番号９１、記録されるコンテンツ（番組タイ
トル）９２、パスワード９３、決済処理内容（領収証）９４が印刷される。パスワード９
３は、携帯電話２０が電池切れの場合など、携帯電話２０が使用不能状態となった場合で
も、顧客がコンテンツ記録ディスクを取り出すことができるように記載されたものである
。したがって、コンテンツ記録ディスク作成受付表Ｒ１には、コンテンツファイルの記録
完了後、携帯電話２０に通知されるコンテンツ記録完了通知内のパスワード（図１参照）
と、同一のパスワードが印刷される。
【００６１】
図８（ｂ）の画面Ｄ１０は、参照番号７５に示すように、コンテンツ記録中である旨を
示す画面である。同画面Ｄ１０では、説明欄７６に、コンテンツファイルの記録中である
旨、および予約を受け付ける旨を表示する。予約を行いたい顧客は、「予約通知先情報入
力」ボタン７７を押下し、図７（ａ）の画面Ｄ０７と同様の通知先情報入力画面（図示省
略）において、予約用の通知先情報を入力する。通知先情報が入力されると、図１０（ｂ
）に示すように、コンテンツ記録ディスク作成予約受付表Ｒ２が紙媒体取り出し部１７か
ら排出される。コンテンツ記録ディスク作成予約受付表Ｒ２には、予約番号９５、および
予約待ち人数９６が印刷される。つまり、このように予約を行っていても、予約待ち人数
が存在する場合（先約がある場合）は、図４（ａ）の初期画面Ｄ０１において、「予約番
号入力」ボタン３２を押下して予約番号９５を入力しても、すぐにサービスを開始するこ
とができず、「順番が来たときに、通知先に通知する旨」が画面上に表示されることとな
る。
【００６２】
図９（ａ）の画面Ｄ１１は、参照番号８１に示すように、コンテンツ記録完了を示す画
面である。同画面Ｄ１１では、説明欄８２に、記録完了通知を受けた顧客に対して、画像
読み取り部１３に２次元コードＣを読み取らせるかパスワードを入力して欲しい旨、およ
び予約を受け付ける旨を表示する。すなわち、同画面Ｄ１１が表示されている間に、キオ
スク端末１０が２次元コードＣの読み取り結果またはパスワードを取得すると、光ディス
ク媒体取り出し部１６（図１参照）のロック機構を解除する。また、同画面Ｄ１１に表示
されている「予約通知先情報入力」ボタン８３は、画面Ｄ１０の「予約通知先情報入力」
ボタン７７と同様に、予約用の通知先情報を入力するためのものである。
【００６３】
図９（ｂ）の画面Ｄ１２は、参照番号８５に示すように、光ディスク媒体取り出し部１
６のロック解除を示す画面である。同画面Ｄ１２では、説明欄８６に、ロック機構を解除
した旨を表示する。顧客により、「ＯＫ」ボタン８７が押下されると、図４（ａ）に示し
た初期画面Ｄ０１に遷移する。
【００６４】
以上、説明したとおり、本実施形態のキオスク端末１０によれば、コンテンツ記録ディ
スクを作成する際に、ユーザが選択したテンプレートとコンテンツファイルとに基づいて
、レーベル面に印刷するためのレーベル印刷データを生成するため、ユーザの好みにあっ
たオリジナル性のあるコンテンツ記録ディスクを作成することができる。したがって、コ
ンテンツファイルにオリジナル性を付加することができ、これを贈答品として用いること
ができる。
【００６５】
また、キオスク端末１０は、レーベル印刷データを編集する機能を有するため、よりユ
ーザの好みに合ったレーベル印刷を行うことができる。さらに、編集機能の一つとして、
メッセージを入力することができるため、よりオリジナル性を高めることができる。
【００６６】
また、キオスク端末１０は、コンテンツファイルの記録を完了すると、入力された通知
先情報に、コンテンツファイルの記録完了を通知するため、ユーザはキオスク端末１０の
前で、記録完了を待つ必要がない。したがって、容量の大きいコンテンツファイルを記録
する場合でも、ユーザは記録完了通知があるまで、その記録時間を有効利用することがで
きる。
【００６７】
また、受付処理時に印刷される受付表Ｒ１には、パスワードが印刷されているため、携
帯電話２０を有しない顧客でも、コンテンツ記録サービスを利用することができる。また
、電池切れ等により携帯電話２０が使用不能状態となっても、コンテンツ記録ディスクを
確実に取り出すことができる。
【００６８】
また、キオスク端末１０は、２次元コードＣの画像読み取り等により、ユーザに通知し
たパスワードを取得できない間は、光ディスク媒体取り出し部１６をロックするため、作
成されたコンテンツ記録ディスクを他人が誤って取り出すことがない。
【００６９】
次に、本発明の第２実施形態について説明する。上記の実施形態では、２次元コードＣ
の画像読み取り等によるパスワードの取得をトリガとして、光ディスク媒体取り出し部１
６のロック機構を解除するものとしたが、本実施形態では、２次元コードＣの画像読み取
り等によるパスワードの取得をトリガとして、当該パスワードに対応するコンテンツ記録
ディスクを光ディスク媒体取り出し部１６に排出する点で異なる。すなわち、本実施形態
のキオスク端末１０は、光ディスク媒体取り出し部１６にロック機構を備える代わりに、
作成済みのコンテンツ記録ディスクを一時的にストックしておく機能を有する。以下、第
１実施形態と異なる点のみを説明する。
【００７０】
図１１は、第２実施形態に係るキオスク端末１０の制御方法（コンテンツ記録ディスク
作成サービス）を示すフローチャートである。なお、コンテンツ記録（図３のＳ０９）ま
での工程については、第１実施形態と同様であるため、説明を省略する。
【００７１】
コンテンツファイルの記録が完了すると、顧客の携帯電話２０に対し、記録完了通知を
行う（Ｓ２１）。また、このとき同時に、コンテンツ記録ディスク毎に異なるパスワード
（以下、「ユニークなパスワード」と称する）、および当該パスワードをコード化した２
次元コードＣを携帯電話２０の表示画面２１に表示するための情報を通知する。さらに、
記録完了通知と共に、予約用通知先への通知も行う（Ｓ２２）。これは、本実施形態のキ
オスク端末１０が光ディスク媒体取り出し部１６をロックしないため、コンテンツファイ
ルの記録が完了すれば、すぐに次の顧客に対するサービスを開始することができるためで
ある。
【００７２】
続いて、ＤＶＤ−Ｒ１５のレーベル面にレーベル印刷を行い（Ｓ２３）、印刷後のコン
テンツ記録ディスクを、不図示のストック部にストックする（Ｓ２４）。そして、２次元
コードＣの読み取り等により、パスワードを取得すると（Ｓ２５）、そのパスワードに対
応したコンテンツ記録ディスクを排出する（Ｓ２６）。すなわち、ストック部の数に応じ
て、ストック可能なコンテンツ記録ディスクの枚数が決まっており、取得したパスワード
に対応するストック部から、コンテンツ記録ディスクを排出する。最後に、排出したコン
テンツ記録ディスクが顧客によって取り出され（Ｓ２７）、一連の処理を終了する。
【００７３】
このように、本実施形態によれば、作成するコンテンツ記録ディスク毎に異なるパスワ
ードを通知し、ユーザから入力されたパスワードの取得により、当該パスワードに対応す
るコンテンツ記録ディスクを排出するため、コンテンツ記録ディスクの排出を行っていな
くとも、それを一旦ストックしておき、他のコンテンツ記録ディスクの作成を行うことが
できる。すなわち、コンテンツファイルの記録が完了しない間でも、複数人の作成依頼を
受け付けることができ、サービスの提供効率を向上させることができる。
【００７４】
なお、上記の２つの実施形態では、コンテンツファイルの記録完了後に、記録完了通知
を行うものとしたが、レーベル印刷が完了した時点で、顧客に対する通知を行っても良い
。また、レーベル印刷後にコンテンツファイルの記録を行い、コンテンツファイルの記録
完了後に、記録完了通知を行うようにしても良い。
【００７５】
また、コンテンツファイルの選択候補として、テレビ放送番組表を表示するものとした
が（図４（ｂ）参照）、テレビ放送番組に限らず、ラジオ放送番組の番組表を表示しても
良い。この場合、コンテンツファイルは音声データのみを含むものとなる。また、コンテ
ンツファイルとしては、放送番組の記録データに限らず、ＣＤやＤＶＤのデータを記録す
る構成でも良い。
【００７６】
また、上記の例に示した、コンテンツ記録ディスク作成システムＳＹやキオスク端末１
０の各構成要素（各機能）をプログラムとして提供することも可能である。また、そのプ
ログラムを記録媒体（図示省略）に格納して提供することも可能である。記録媒体として
は、ＣＤ−ＲＯＭ、フラッシュＲＯＭ、メモリカード（コンパクトフラッシュ（登録商標
）、スマートメディア、メモリースティック等）、コンパクトディスク、光磁気ディスク
、デジタルバーサタイルディスクおよびフレキシブルディスク等を利用することができる
。
【００７７】
また、上記の実施形態によらず、コンテンツ記録ディスク作成システムＳＹのシステム
構成、キオスク端末１０の装置構成、受付票Ｒの記載事項など、本発明を逸脱しない範囲
で適宜変更が可能である。
【図面の簡単な説明】
【００７８】
【図１】コンテンツ記録ディスク作成システムのシステム構成図である。
【図２】キオスク端末のハードウェア構成および制御構成を示すブロック図である。
【図３】キオスク端末の制御方法を示すフローチャートである。
【図４】キオスク端末の画面表示例を示す図である。
【図５】図４に続く、キオスク端末の画面表示例を示す図である。
【図６】図５に続く、キオスク端末の画面表示例を示す図である。
【図７】図６に続く、キオスク端末の画面表示例を示す図である。
【図８】図７に続く、キオスク端末の画面表示例を示す図である。
【図９】図８に続く、キオスク端末の画面表示例を示す図である。
【図１０】キオスク端末から発行される受付票の一例を示す図である。
【図１１】第２実施形態に係るキオスク端末の制御方法を示すフローチャートである。
【符号の説明】
【００７９】
１０：キオスク端末，１１：タッチパネル，１２：ディスプレイ，１３：画像読み取り
部，１４：クレジットカード挿入口，１５：ＤＶＤ−Ｒ，１６：光ディスク媒体取り出し
部，１７：紙媒体取り出し部，２０：携帯電話，２１：表示画面，Ｃ：２次元コード，Ｒ
：受付票，ＳＹ：コンテンツ記録ディスク作成システム
【図１】
2007287011.tif 000003
【図２】
2007287011.tif 000004
【図３】
2007287011.tif 000005
【図４】
2007287011.tif 000006
【図５】
2007287011.tif 000007
【図６】
2007287011.tif 000008
【図７】
2007287011.tif 000009
【図８】
2007287011.tif 000010
【図９】
2007287011.tif 000011
【図１０】
2007287011.tif 000012
【図１１】
2007287011.tif 000013